(57)【要約】      （修正有）【課題】バッグ本体を２つ折り形状とし、一部をズボン、またはスカートに引っ掛けられる様にして、ベルトを不要とすることで、動作の邪魔にならず、動きによるバッグのずれもなく、比較的大き目のバッグにも対応できるウエストバッグを提供する。【解決手段】バッグ本体がバッグ表面３と裏面４に別れ、折り曲げ部２をズボンやスカートに引っ掛け、裏面４を衣類の中に入れることで、ベルトがなくてもウエスト位置に固定できるウエストバッグとなる。【選択図】図３
0003162696.tif 000002
【実用新案登録請求の範囲】
【請求項１】
バッグ本体を２つ折りの形状とし、バッグ本体の一部をズボンやスカートの衣類の中に入れることでウエスト位置に固定するウエストバッグ。
【請求項２】
バッグ本体を２つ折りの形状とするウエストバッグで、バッグとして用いる部分、衣類に入れる部分がそれぞれ複数存在する請求項１のウエストバッグ。
【請求項２】
バッグ本体を２つ折りの形状とするウエストバッグで、衣類に入れる部分に収納機能を持たせた請求項１、請求項２のウエストバッグ。
【考案の詳細な説明】
【技術分野】
【０００１】  本考案は、ベルトを必要としないウエストバッグに関するものである。
【背景技術】
【０００２】  現在流通しているウエストの位置に固定するタイプのバッグは、胴囲を１周させるベルトと一体型のものが主流である。このベルト一体型バッグは、ウエストの位置でベルトを巻き、ウエストに固定するものである。通常使用する上では、このベルト一体型バッグで十分であった。【０００３】  しかしこのベルト一体型バッグは、特に運動する際などにおいてバッグの重さがベルトに加わるため、体を動かすとベルトが体に食い込み邪魔になった。また激しい運動となると、バッグが水平方向、もしくは垂直方向にずれて安定しないといった問題があった。【０００４】  またウエストバッグには、金具やプラスチックの類と一体化して、衣類に引っ掛けるタイプのものがある。たとえば、ズボンやスカートのウエスト部分に上から引っ掛けるもの、もしくはベルト通しに引っ掛けるものなどがある。この金具一体型バッグは、ベルト一体型バッグと異なり、ベルトが邪魔になることも、上下左右に大きくずれることもないが、加重がかかるポイントが小さいため、ズボンやスカートと一緒に下にずれてしまったりするなど、大きな容量のバッグには不向きであった。
【先行技術文献】
【特許文献】
【０００５】
【特許文献１】実開平７−４４０６２
【考案の概要】
【考案が解決しようとする課題】
【０００６】  本考案が解決しようとする問題点は、運動や普段の動作で邪魔になるベルトがあること、上下左右にずれ、比較的大きな容量のバッグに対応できないことを解決するものである。
【課題を解決するための手段】
【０００７】  本考案は、バッグ本体を２つ折り形状とし、一部をズボン、またはスカートに引っ掛けることで、ベルトを不要とした。
【考案の効果】
【０００８】  本考案のウエストバッグは、ベルトがないために、動作の邪魔にならず、動きによるバッグのずれもなく、比較的大き目のバッグにも対応できるという利点がある。
【図面の簡単な説明】
【０００９】
【図１】本ウエストバッグの一実施例を示す正面図である。（実施例１）
【図２】本ウエストバッグの一実施例を示す背面図である。（実施例１）
【図３】本ウエストバッグの一実施例を示す斜視図である。（実施例１）
【図４】本ウエストバッグの一実施例を示す斜視図である。（実施例２）
【図５】本ウエストバッグの一実施例を示す補助部材の図である。（実施例２）
【図６】本ウエストバッグの一実施例を示す引っ掛け部材の図である。（実施例３）
【図７】本ウエストバッグの一実施例を示すベルト通しの図である。（実施例４）
【図８】本ウエストバッグの一実施例を示す収納機能の図である。（実施例５）
【図９】本ウエストバッグの一実施例を示す斜視図である。（実施例６）
【考案を実施するための形態】
【００１０】  本ウエストバッグの概観は、全体が２つ折りになるタイプで、その片側を衣類の中に入れることで、ベルトが不要で、かつウエスト位置が固定できる形状とした。
【実施例１】
【００１１】  図１〜３は、本考案の実施例１であり、正面図、背面図、斜視図である。
本考案の概観は、バッグ１全体を２つ折りにした形状であり、折り曲げ部２の個所を衣類に引っ掛けてバッグ１をウエスト部に固定するものである。
このバッグ１は、バッグとして用いる表面３と、衣類の中に入れる裏面４があるが、この表面３と裏面４を同素材にし、バッグ１全体を２つ折りとする形状でもよいし、また両者が必ずしも同素材である必要はない。折り曲げ部２に、硬く張りのある芯などで裏当てし、強度を出しても良い。
【実施例２】
【００１２】  図４は、折り曲げ部２の内側に図５の滑り止め補助部材５を滑り止め補助部材固定位置６に内蔵したものである。この滑り止め補助部材５を内蔵することで、更にバッグの上下左右のずれ止め効果を上げることができる。
【実施例３】
【００１３】  図６は、折り曲げ部２、もしくはその周辺に引っ掛け部材７を追加したものである。これを折り曲げ部２周辺のバッグ１片側、もしくは両側に追加し、折り曲げ部２の近くに位置するズボン、またはスカートのベルト通しなどに引っ掛けることで、更にバッグの上下左右のずれ止めの効果を上げることができる。
【実施例４】
【００１４】  図７は、バッグ１の表面３にベルト固定用補助部８のような切れ目を入れ、ベルトを通すことで、更にバッグの上下左右のずれ止めの効果を上げることができる。このベルト固定用補助部８はバッグの大きさなどにより、複数箇所あってもよい。
【実施例５】
【００１５】  図８は、衣類の内側に折り曲げられたバッグの裏面４に、収納機能９を追加したものである。この収納機能９には、貴重品などの他、冬場のカイロなどの暖房具を入れることができる。冬場、カイロを衣類に貼り付けるなどして腰部を温める場合があるが、裏面４の収納機能９に入れることで、ずれたり落ちたりせず、また出し入れも容易におこなうことができる。
【実施例６】
【００１６】  図９は、バッグ表面３が２つに分かれているものである。本考案は、バッグ１が２つ折りになる形状を特徴としているが、バッグ１の表面３、裏面４それぞれが複数付属しても良い。
【符号の説明】
【００１７】  １  バッグ本体
２  折り曲げ部
３  バッグ表面
４  バッグ裏面
５  滑り止め補助部材
６  滑り止め補助部材固定位置
７  引っ掛け部材
８  ベルト固定用補助部
９  収納機能
【図１】
0003162696.tif 000003
【図２】
0003162696.tif 000004
【図３】
0003162696.tif 000005
【図４】
0003162696.tif 000006
【図５】
0003162696.tif 000007
【図６】
0003162696.tif 000008
【図７】
0003162696.tif 000009
【図８】
0003162696.tif 000010
【図９】
0003162696.tif 000011
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
２つ折りの形状をしたバッグ本体は、スカートやズボンのバンド、もしくはベルト等のウエスト部に位置する衣類に引っ掛ける折り曲げ部と、該折り曲げ部を衣類に引っ掛けた際に衣類の外側に位置し、携帯品などを収納する通常バッグとして用いるためのバッグ表面と、前記折り曲げ部を衣類に引っ掛けた際に衣類に折り込まれるかたちで衣類の内側に位置するバッグ裏面を有し、これにより前記折り曲げ部で２つ折りにされたバッグ本体を衣類に引っ掛け、前記バッグ裏面を衣類の内側に折り込むことで、ウエスト位置に固定できることを特徴とするウエストバッグ。
【請求項２】
前記折り曲げ部を衣類に引っ掛けた際に衣類の外側に位置する前記バッグ表面と、前記折り曲げ部を衣類に引っ掛けた際に、衣類の内側に折り込まれる前記バッグ裏面は、前記バッグ表面、または前記バッグ裏面のどちらか、あるいは両者ともに複数存在する請求項１に記載のウエストバッグ。
【請求項３】
前記折り曲げ部を衣類に引っ掛けた際に、衣類の内側に折り込まれる前記バッグ裏面は、チャックなどの開閉口を設け、袋状とした収納機能を有することを特徴とする請求項１、または請求項２に記載のウエストバッグ。
【手続補正２】
【補正対象書類名】明細書
【補正対象項目名】全文
【補正方法】変更
【補正の内容】
【考案の詳細な説明】
【技術分野】
【０００１】  本考案は、バッグ本体にベルトが付属しなくても、ウエスト位置に固定することができるウエストバッグに関するものである。
【背景技術】
【０００２】  現在流通しているウエストバッグは、バッグ本体に付属しているベルトで胴囲を１周させることで、バッグ本体をウエスト位置に固定させるウエストバッグとベルトとの一体型のものが主流である。通常使用する上では、このベルト一体型のウエストバッグで十分であった。【０００３】  しかしこのベルト一体型のウエストバッグは、バッグ本体の重さがベルトに加わるため、特に運動時などは、ベルトが胴に食い込み動作の邪魔になった。また更に激しい運動になると、バッグ本体が本来固定させたい位置から水平方向、または垂直方向にずれて安定しないといった問題があった。【０００４】  またウエストバッグには、金具やプラスチックの類のフック部材を付属して、たとえばズボンやスカートのベルト等に引っ掛けるものがある。このフック部材一体型のウエストバッグは、ベルト一体型のウエストバッグと異なり、バッグ本体にベルトが付属していないため、ベルトが邪魔になることも、また上下左右に大きくずれることもないが、バッグ本体の重さがかかるポイントが小さいため、ズボンやスカートのベルトと一緒に下にずれてしまうため、大きな容量のバッグには不向きであった。また金具やプラスチックの類の硬度の高いフック部材を付属しているため、運動する際にはこのフック部材が体にあたり邪魔になるため、激しい動作には不向きであった。
【先行技術文献】
【特許文献】
【０００５】
【特許文献１】実開平７−４４０６２
【考案の概要】
【考案が解決しようとする課題】
【０００６】  本考案が解決しようとする問題点は、上記運動や普段の動作で邪魔になるベルトが付属していること、上記上下左右にずれること、または上記比較的大きな容量のバッグに対応できないという従来のウエストバッグの問題を解決するものである。
【課題を解決するための手段】
【０００７】  本考案は、バッグ本体を２つ折り形状とし、その折り曲げた部分をスカートやズボンのバンド、もしくはベルト等のウエスト部に位置する衣類に引っ掛ける折り曲げ部と、折り曲げ部を衣類に引っ掛けた際に衣類の外側に位置し、携帯品などを収納する通常バッグとして用いるためのバッグ表面と、折り曲げ部を衣類に引っ掛けた際に衣類に折り込まれるかたちで衣類の内側に位置するバッグ裏面からなり、これにより折り曲げ部で衣類に引っ掛け、バッグ裏面を衣類の内側に折り込むことで、バッグ本体にベルトを付属しなくてもウエスト位置に固定できる構成とした。
【考案の効果】
【０００８】  本考案のウエストバッグは、バッグ本体にベルトが付属していないために、動作の邪魔にならず、運動などの激しい動きによるバッグ本体のずれがなく、そして比較的大きな容量のバッグにも対応できるという利点がある。
【図面の簡単な説明】
【０００９】
【図１】本ウエストバッグの一実施例を示す正面図である。
【図２】本ウエストバッグの一実施例を示す背面図である。
【図３】本ウエストバッグの一実施例を示す斜視図である。
【図４】本ウエストバッグの一実施例を示す斜視図である。（実施例２）
【図５】本ウエストバッグの一実施例を示す滑り止め補助部材の図である。（実施例２）
【図６】本ウエストバッグの一実施例を示す引っ掛け部材の図である。（実施例３）
【図７】本ウエストバッグの一実施例を示すベルト固定用補助部の図である。（実施例４）
【図８】本ウエストバッグの一実施例を示す収納機能の図である。（実施例５）
【図９】本ウエストバッグの一実施例を示す斜視図である。（実施例６）
【考案を実施するための形態】
【００１０】  本ウエストバッグの概観は、全体が２つ折りであり、折り曲げ部を衣類に引っ掛け、引っ掛けた片側であるバッグ表面を通常のバッグとして使用し、もう一方であるバッグ裏面を衣類の中に入れることで、ベルトが不要で、かつウエスト位置が固定できる形状とした。
【実施例１】
【００１１】  図１〜３は、本考案のウエストバッグの、正面図、背面図、斜視図である。  本考案の概観は、バッグ本体１を２つ折りにした形状であり、折り曲げ部２、バッグ表面３、バッグ裏面４から構成されている。折り曲げ部２を折り曲げに沿ったかたちでスカートやズボンのバンド、もしくはベルト等のウエスト部に位置する衣類に引っ掛けてバッグ本体１をウエスト部に固定するものである。  このバッグ本体１は２つ折りにした時に、携帯品などを入れるための収納部を有し、通常バッグとして用いるバッグ表面３と、衣類の中に折り込まれるバッグ裏面４があるが、このバッグ表面３とバッグ裏面４を同素材にし、バッグ本体１を２つ折りとする形状でもよいし、また両者が必ずしも同素材である必要はない。折り曲げ部２に、硬く張りのある芯などで裏当てし、強度を出しても良い。
【実施例２】
【００１２】  図４は、折り曲げ部２の内側に図５の滑り止め補助部材５を滑り止め補助部材固定位置６に内蔵したものである。この滑り止め補助部材５を内蔵することで、更にバッグ本体１の上下左右のずれ止め効果を上げることができる。
【実施例３】
【００１３】  図６は、折り曲げ部２、もしくはその周辺に引っ掛け部材７を追加したものである。これを折り曲げ部２周辺のバッグ本体１片側、もしくは両側に追加し、折り曲げ部２の近くに位置するズボン、またはスカートのベルト通しなどに引っ掛けることで、更にバッグ本体１の上下左右のずれ止めの効果を上げることができる。
【実施例４】
【００１４】  図７は、バッグ本体１の表面３にベルト固定用補助部８のような切れ目を入れ、ズボンなどの衣類のベルトを通すことで、更にバッグ本体１の上下左右のずれ止めの効果を上げることができる。このベルト固定用補助部８はバッグの大きさなどにより、複数箇所あってもよい。
【実施例５】
【００１５】  図８は、衣類の内側に折り曲げられたバッグ裏面４に、チャックなどの開閉口を有し、袋状とした収納機能９を追加したものである。この収納機能９には、貴重品などの他、冬場のカイロなどの暖房具を入れることができる。冬場、カイロを衣類に貼り付けるなどして腰部を温める場合があるが、バッグ裏面４の収納機能９に入れることで、ずれたり落ちたりせず、また出し入れも容易におこなうことができる。
【実施例６】
【００１６】  図９は、バッグ表面３が２つに分かれているものである。本考案は、バッグ本体１が２つ折りになる形状を特徴としているが、バッグ本体１のバッグ表面３、バッグ裏面４それぞれが複数付属しても良い。
【符号の説明】
【００１７】１  バッグ本体２  折り曲げ部３  バッグ表面４  バッグ裏面５  滑り止め補助部材６  滑り止め補助部材固定位置７  引っ掛け部材８  ベルト固定用補助部９  収納機能